(57)【特許請求の範囲】
【請求項１】
内面（４）および外面（５）を有するベースプレート（２）であって、上記内面（４）上に１以上のスペーサ（６）を有し上記外面（５）上にトリプルプリズム（１）を有するベースプレートと、
略Ｕ字形を有し、上記内面（４）上を延びるクリップ（３）であって、上記クリップ（３）の第１脚部（７）の端部は可動接続部（９）によって上記ベースプレート（２）の第１側面に締結されており、上記クリップ（３）の第２脚部（８）の端部は上記第１側面と反対側の上記ベースプレート（２）の側面に取外し不能に締結されるのに適しているクリップとを有する動物用首輪（１５）のための締結装置を有する反射器（１０）。
【請求項２】
請求項１記載の反射器（１０）において、上記トリプルプリズム（１）は上記ベースプレート（２）の周囲と同一平面でつながり、反射面（１４）に沿ったフレーム（１３）中に配置されていることを特徴とする反射器。
【請求項３】
請求項２記載の反射器（１０）において、上記反射器表面（１４）は上記クリップ（３）の経路と垂直な方向に湾曲または分割されており、上記反射器表面（１４）は、上記クリップ（３）に垂直な経路に対する上記ベースプレート（２）の上記外面（５）からの距離は中央において最も長いことを特徴とする請求項２記載の反射器。
【請求項４】
請求項３記載の反射器（１０）において、上記反射器表面（１４）は上記ベースプレート（２）と平行に延びる中央部（１４ａ）、および互いに対称で横方向に中央部（１４ａ）とつながり、上記ベースプレート（２）との接続点から６０°の角度で傾斜している２つの側面（１４ｂ、１４ｃ）を備えることを特徴とする反射器。
【請求項５】
請求項１から４いずれか一項記載の反射器（１０）において、上記トリプルプリズム（１）は熱可塑性材料でできていることを特徴とする反射器。
【請求項６】
請求項１から５いずれか一項記載の反射器（１０）において、スペーサ（６）が突起であることを特徴とする反射器。
【請求項７】
請求項１から６いずれか一項記載の反射器（１０）において、上記可動接続部（９）は２つのループを備え、一方が他方に係合していることを特徴とする反射器。
【請求項８】
請求項２から７いずれか一項記載の反射器（１０）において、上記クリップ（３）の上記第２脚部（８）は上記第２脚部の端部に配置された閉鎖フック（１６）と、上記ベースプレート（２）に締結されたシャックル（１１）および上記フレーム（１３）に締結された閉鎖室（１２）との相互作用によって、上記ベースプレート（２）に取外し不能に締結されるのに適していることを特徴とする反射器。
【請求項９】
動物用首輪（１５）の全長にわたって出て行くことが可能な活性物質を含有する上記動物用首輪（１５）であって、少なくとも１個の請求項１から８いずれか一項記載の反射器が上記首輪（１５）に締結されていることを特徴とする動物用首輪。
【請求項１０】
請求項９記載の動物用首輪（１５）において、３個の反射器が間隔を空けて上記動物用首輪（１５）に締結されており、上記動物用首輪（１５）が閉じている時、それらは互いに間隔が空いており、その間隔は１００から１４０°の範囲であることを特徴とする動物用首輪。
【請求項１１】
請求項９記載の動物用首輪（１５）において、４個の反射器が間隔を空けて上記動物用首輪（１５）に締結されており、上記動物用首輪が閉じている時、それらは互いに間隔が空いており、その間隔は８０から１００°の範囲であることを特徴とする動物用首輪。
【請求項１２】
請求項９から１１いずれか一項記載の動物用首輪（１５）において、上記動物用首輪（１５）は動きによって放出される活性物質が埋め込まれたプラスティックで構成されていることを特徴とする動物用首輪。
【請求項１３】
請求項１２記載の動物用首輪（１５）において、上記プラスティックはポリ塩化ビニルであることを特徴とする動物用首輪。
【請求項１４】
動物用首輪（１５）の全長にわたって出て行くことが可能な活性物質を含有する上記動物用首輪（１５）と、少なくとも１個の請求項１から８いずれか一項記載の反射器（１０）とを備えるシステム。
【請求項１５】
請求項１４記載のシステムにおいて、上記動物用首輪（１５）は動きによって放出される活性物質が埋め込まれたプラスティックで構成されていることを特徴とするシステム。
【請求項１６】
請求項１５記載のシステムにおいて、上記プラスティックはポリ塩化ビニルであることを特徴とするシステム。
【発明の詳細な説明】
【技術分野】
【０００１】
本発明は動物用首輪のための締結装置を有する反射器、および本発明の反射器と組み合わせた有効物質を含有する動物用首輪に関する。
【背景技術】
【０００２】
有効物質を含有し、全表面領域にわたって反射性材料を有する動物用首輪は、例えばフランス特許第２５９４００１号、ベルギー特許第９０４５４８号、ドイツ特許出願公開３２４２７４１号、欧州特許００７６０３８号、米国特許第４０９１７６６号および米国特許出願公開２００６/０１４４３４５号から知られている。これらの不都合な点は低集光で結果的に低反射であることである。従来の技術による全面反射コーティングを首輪に施したものは耐引っ掻き性を備えておらず、化学作用または機械的応力によって劣化する。例えば特開２０００−１４２６８号、ドイツ特許第２９５１０６６号、ドイツ実用新案第１９８６０６７６０号、ドイツ実用新案１９８５３４８６２４号に記載された、１以上の別個の反射器を有する動物用首輪も知られている。不都合な点は全方向反射が確保されないことである。さらに、有効物質を含有する首輪の使用中に、上述の反射器によって有効物質の放出が減少する可能性を除外することができない。周知の反射器は再び首輪から取り外すことができる。上記反射器が前もって有効物質を含有する首輪に締結されている場合は、このことで反射器が汚れた状態で使用されるようになり、例えば子どもたちの手や口に入るリスクを引き起こす。
【先行技術文献】
【特許文献】
【０００３】
【特許文献１】フランス特許第２５９４００１号
【特許文献２】ベルギー特許第９０４５４８号
【特許文献３】ドイツ特許出願公開３２４２７４１号
【特許文献４】欧州特許第００７６０３８号
【特許文献５】米国特許第４０９１７６６号
【特許文献６】米国特許出願公開２００６/０１４４３４５号
【特許文献７】特開２０００−１４２６８号
【特許文献７】ドイツ特許第２９５１０６６号
【特許文献８】ドイツ実用新案第１９８６０６７６０号
【特許文献９】ドイツ実用新案第１９８５３４８６２４号
【発明の概要】
【発明が解決しようとする課題】
【０００４】
人間および動物への安全性を増すために、上記不都合のない動物の首輪用反射器を提供することを目的とする。
【課題を解決するための手段】
【０００５】
本発明の目的は内面および外面を有するベースプレートを含む、動物用首輪の締結装置を有する反射器によって達成される。クリップは略Ｕ字形をしており、上記内面上を延びており、上記クリップの第１脚部の端部は可動接続部によって上記ベースプレートの第１側面に締結されており、第２脚部の端部は上記第１側面と反対側の上記ベースプレート２の側面に取外し不能に締結されるのに適している。上記ベースプレートの上記外面には１以上のスペーサがある。
【０００６】
レトロ反射器はガラスまたは透明プラスティックで構成されている鏡であって、鏡の裏側にはトリプルプリズムがある。トリプルプリズムは互いに垂直な３つの非反射表面を備える。鏡に当たる光はトリプルプリズムで完全に反射し、実質的には完全に光源の方向へ戻る。
【０００７】
トリプルプリズムを使用すると、反射器の配置とは無関係に反射光の大部分が放射線源へ戻ることが可能になる。さらに、トリプルプリズムによって、従来技術に記載された全面コーティングのリフレクタストリップの場合よりも、集光ビームのより強い反射が可能である。
【０００８】
好ましくは、トリプルプリズムは、フレーム中に配置され、フレームはベースプレートの周囲と同一平面でつながっている。トリプルプリズムは反射器表面に沿って配置されている。反射器表面はクリップの経路と垂直な方向に湾曲または分割されている。反射器表面はベースプレートの外面上を延びており、クリップに垂直な経路に対するベースプレートの外面からの距離は中央において最も長い。好ましくは、反射器表面はベースプレートに平行に延びる中央部、および互いに対称で横方向に中央部とつながり、ベースプレートとの接続点から６０°の角度で傾斜している２つの側面を備える。
【０００９】
トリプルプリズムは、例えばポリカーボネート、ポリメチルメタクリレート、ポリプロピレンまたはポリアミドなどの熱可塑性材料でできているので、耐引っ掻き性があり、化学作用や機械的荷重に耐える。
【００１０】
本発明の目的は、動物用首輪の全長にわたって出て行くことが可能な活性物質を含有する上記動物用首輪によっても達成される。好ましくは、活性物質は殺虫剤であり、特に好ましくは、ノミまたはダニ取り剤である。好ましくは、首輪は動きによって放出される活性物質を埋め込んだプラスティックで構成され、特に上記プラスティックはポリ塩化ビニルであることが好ましい。本発明の反射器を少なくとも１個、好ましくは３個、特に好ましくは４個を首輪に締結する。
【００１１】
３個の反射器を締結する場合、首輪が閉じている時、それらは互いに間隔が空いており、その間隔は好ましくは１００から１４０°の範囲であり、特に好ましくは１１８から１２２°の範囲である。４個の反射器を締結する場合、首輪が閉じている時、それらは互いに間隔が空いており、その間隔は好ましくは８０から１００°の範囲であり、特に好ましくは８８から９２°の範囲である。
【００１２】
反射器は取外し不能に首輪に締結される。
【００１３】
ベース領域内側のスペ−サによって、首輪から妨げなく活性物質を拡散させることができる。好ましくは、スペ−サは、例えば首輪の突起部のように、反射器が首輪で滑らないように構成されている。
【００１４】
本発明の目的は、首輪の全長にわたって出て行くことが可能な活性物質を含有する上記首輪であって、上記活性物質は、好ましくは殺虫剤であり、特に好ましくは、ノミまたはダニ取り剤である首輪と、少なくとも１個、好ましくは３個、特に好ましくは４個の本発明の反射器とを備えるシステムによっても達成される。
【発明の効果】
【００１５】
本発明の反射器は再帰反射性能を備えており、有効物質を含有する動物用首輪の有効性を著しく損なうことなく首輪に締結することができる。トリプルプリズムおよび、特に３または４個の本発明の反射器を用いる結果、首輪全体をその表面領域にわたって反射性材料でコーティングすることなく首輪から全方向への反射が得られる。結果として、そのような動物用首輪を付けている動物の、特に道路交通における安全性が著しく増す。反射器を取り外し不能に有効物質を含有する動物用首輪に締結することで、反射器が汚れた状態で使用されるようになり、例えば子どもたちの手や口に入る可能性を防止する。
【図面の簡単な説明】
【００１６】
【図１】図１は反射器の個々の部品の分解図を示す。
【図２】図２は閉じた状態の反射器を示す。
【図３】図３はまだ閉じていない状態の反射器を示す。
【図４】図４は装着された反射器の側面図を示す。
【図５】図５は反射器が首輪に装着された、反射器を有する首輪を示す。
【図６】図６は閉鎖室の領域における反射器の断面を示す。
【図６ａ】図６ａは閉鎖室の領域における反射器の断面を示す。
【図７】図７は反射器の更なる側面図を示す。
【発明を実施するための形態】
【００１７】
図１は反射器１０の個々の部品の分解図である。反射器１０は内面４および外面５を有するベースプレート２（図７参照）およびクリップ３で構成され、クリップ３は略Ｕ字形で内面４上を延びている。ベースプレート２の外面５にはトリプルプリズムがある。トリプルプリズム１はフレーム１３中に配置され、フレーム１３はベースプレート２の周囲と同一平面でつながっている。トリプルプリズム１はそれらの滑らかな側で反射器表面１４を形成する。ベースプレート２の内面４には１以上の突起６がある。
【００１８】
クリップ３の第１脚部７の端部は可動接続部９によってベースプレート２の第１側面に締結される。上記示した例では、可動接続部は一方が他方に係合している２つのループを備える。第２脚部８の端部は第１側面と反対側のベースプレート２の側面に取外し不能に締結されるのに適している。第２脚部８の端部は閉鎖フック１６を有する。閉鎖フック１６と、ベースプレート２に締結されたシャックル１１およびフレーム１３に締結された閉鎖室１２との相互作用によって、脚部８は閉鎖が起こると、取外し不能にベースプレート２に締結される。
【００１９】
図２は閉じた状態の反射器を示す。閉鎖フック１６は閉鎖室１２の内部でシャックル１１に留まっているので見ることができない。
【００２０】
図３はまだ閉じていない状態の反射器を示す。フレーム１３上とクリップ３の脚部７の端部にある２つのループは一方が他方に係合し、可動接続部９を形成している。
【００２１】
図４は反射器１０を示しており、反射器は首輪１５に装着されている。突部６によってベースプレート２の内面４と首輪１５との間に距離が生じ、同時に反射器１０が首輪１５の上で滑るのを防止する。有効物質を含有する首輪の場合は、ベースプレート２と首輪１５との間に距離を設けることによって、有効物質をこの方向へ妨げられずに放出することができる。
【００２２】
図５は３つの反射器１０が装着されている閉じた首輪１５を示す。３つの反射器１０は、可能性のある全ての方向からの光を確実に反射するために、それぞれ１２０°の間隔を開けて装着されている。
【００２３】
図６および図６ａは閉鎖室の領域における反射器の断面を示す。閉鎖が起こると、脚部８の押圧によって閉鎖フック１６は閉鎖室１２に挿入される。この場合シャックル１１は、閉鎖フック１６がシャックル１１の端部を越えてしまうまで、フレーム１３に対して内側に押圧される。シャックル１１は閉鎖フック１６の下で最初の位置に戻る。シャックル１１によって閉鎖フック１６が下方に動いて閉鎖室１２から抜け出すのを防止するので、閉鎖フック１６を再び開くことはできない。閉鎖室１２のガイドが傾斜しているので、閉鎖フック１６が水平方向に動くのを防止する。
【００２４】
図７は片側から見た反射器を示す。ベースプレート２はその内面４に突起６を有し、その外面５にフレーム１３を有する。トリプルプリズム１はフレーム１３中に配置されており、ベースプレート２の周囲と同一平面でつながっている。トリプルプリズム１はそれらの滑らかな側で反射器表面１４を形成する。反射器表面はクリップ３の経路に対して垂直方向に分割されている。反射器表面１４はベースプレートの外面５上を延びており、クリップ３に垂直な経路に対するベースプレート２の外面５からの距離は中央において最も長い。分割された反射器表面１４はベースプレート３と平行に延びている中央部１４ａ、および互いに対称で横方向に中央部１４ａにつながり、ベースプレート２との接続点から６０°の角度で傾斜している２つの側面１４ｂ、１４ｃを備える。
【図１】
0005575903.tif 000002
【図２】
0005575903.tif 000003
【図３】
0005575903.tif 000004
【図４】
0005575903.tif 000005
【図５】
0005575903.tif 000006
【図６】
0005575903.tif 000007
【図６ａ】
0005575903.tif 000008
【図７】
0005575903.tif 000009